(57)【要約】【課題】複数の無線接続方式に対応する場合の着信待ち受け時の消費電力を低減することが可能な移動無線端末装置を提供する。【解決手段】端末制御部１００は、1x受信信号処理部１２０ａを制御して、1x方式に対応する基地局を探索して、着信の発生を待ち受けを開始する。そして、端末制御部１００は、定期的に周辺基地局測定プロセスPを実行し、1x受信信号処理部１２０ａを制御して、1x方式に対応する周辺基地局を探索する。一方、LTE方式に対応する基地局については、上記周辺基地局測定プロセスPにおいて、着信の待ち受けに用いている1x方式に対応する基地局が、LTE方式に対応しない場合にのみ、LTE受信信号処理部１２０ｂを起動して、探索を行うようにしたものである。【選択図】      図１
2010166532.tif 000002
【特許請求の範囲】
【請求項１】
第１の無線接続方式により無線通信を行う第１無線基地局と、第２の無線接続方式により無線通信を行う第２無線基地局を収容し、前記第２無線基地局を通じて通信するための着信を、前記第１無線基地局を通じて行う無線通信システムで用いられる移動無線端末装置において、
前記第１無線基地局および前記第２無線基地局から送信される無線信号を受信する受信手段と、
この受信手段が前記第１無線基地局より前記第２無線基地局の存在を示す情報を受信した場合には、前記第１無線基地局を定期的に探索し、一方、前記情報を受信しなかった場合には、前記第１無線基地局と前記第２無線基地局を定期的に探索する探索手段とを具備することを特徴とする移動無線端末装置。
【請求項２】
第１の無線接続方式により無線通信を行う第１無線基地局と、第２の無線接続方式により無線通信を行う第２無線基地局を収容し、前記第２無線基地局を通じて通信するための着信を、前記第１無線基地局を通じて行う無線通信システムで用いられる移動無線端末装置において、
前記第１無線基地局および前記第２無線基地局から送信される無線信号を受信する受信手段と、
予め設定した時間が経過する毎に、前記第１無線基地局を探索する第１探索手段と、
前記受信手段が前記第１無線基地局より前記第２無線基地局の存在を示す情報を受信した場合には、前記第２無線基地局を探索せず、一方、前記情報を受信しなかった場合には、前記第２無線基地局の探索を行う第２探索手段とを具備することを特徴とする移動無線端末装置。
【請求項３】
第１の無線接続方式で無線通信可能な第１無線基地局と、前記第１の無線接続方式と第２の無線接続方式で無線通信可能な第２無線基地局と、前記第２の無線接続方式で無線通信可能な第３無線基地局とを収容し、前記第２の無線接続方式で通信するための着信を、前記第１の無線接続方式で行うことが可能な無線通信システムで用いられる移動無線端末装置において、
前記第１の無線接続方式と前記第２の無線接続方式をそれぞれ用いて、無線基地局と無線通信する無線通信手段と、
この無線通信手段が無線基地局より受信した情報に基づいて、前記第１の無線接続方式で着信を待ち受けている無線基地局が前記第１無線基地局か前記第２無線基地局かを判定する判定手段と、
この判定手段の判定結果に基づいて、前記第１無線基地局を通じて着信を待ち受けている場合には、前記第２無線基地局または前記第３無線基地局を定期的に探索する探索手段とを具備することを特徴とする移動無線端末装置。
【請求項４】
第１の無線接続方式により無線通信を行う第１無線基地局と、第２の無線接続方式により無線通信を行う第２無線基地局を収容し、前記第２無線基地局を通じて通信するための着信を、前記第１無線基地局を通じて行う無線通信システムで用いられる移動無線端末装置の基地局探索方法において、
前記第１無線基地局および前記第２無線基地局から送信される無線信号をそれぞれ受信する受信工程と、
この受信工程で前記第１無線基地局より前記第２無線基地局の存在を示す情報を受信した場合には、前記第１無線基地局を定期的に探索し、一方、前記情報を受信しなかった場合には、前記第１無線基地局と前記第２無線基地局を定期的に探索する探索工程とを具備することを特徴とする基地局探索方法。
【請求項５】
第１の無線接続方式により無線通信を行う第１無線基地局と、第２の無線接続方式により無線通信を行う第２無線基地局を収容し、前記第２無線基地局を通じて通信するための着信を、前記第１無線基地局を通じて行う無線通信システムで用いられる移動無線端末装置の基地局探索方法において、
前記第１無線基地局および前記第２無線基地局から送信される無線信号をそれぞれ受信する受信工程と、
予め設定した時間が経過する毎に、前記第１無線基地局を探索する第１探索工程と、
前記受信工程で前記第１無線基地局より前記第２無線基地局の存在を示す情報を受信した場合には、前記第２無線基地局を探索せず、一方、前記情報を受信しなかった場合には、前記第２無線基地局の探索を行う第２探索工程とを具備することを特徴とする基地局探索方法。
【請求項６】
第１の無線接続方式で無線通信可能な第１無線基地局と、前記第１の無線接続方式と第２の無線接続方式で無線通信可能な第２無線基地局と、前記第２の無線接続方式で無線通信可能な第３無線基地局とを収容し、前記第２の無線接続方式で通信するための着信を、前記第１の無線接続方式で行うことが可能な無線通信システムで用いられる移動無線端末装置の基地局探索方法において、
前記第１の無線接続方式と前記第２の無線接続方式をそれぞれ用いて、無線基地局と無線通信する無線通信工程と、
この無線通信工程で無線基地局より受信した情報に基づいて、前記第１の無線接続方式で着信を待ち受けている無線基地局が前記第１無線基地局か前記第２無線基地局かを判定する判定工程と、
この判定工程の判定結果に基づいて、前記第１無線基地局を通じて着信を待ち受けている場合には、前記第２無線基地局または前記第３無線基地局を定期的に探索する探索工程とを具備することを特徴とする基地局探索方法。
【発明の詳細な説明】
【技術分野】
【０００１】
この発明は、複数の無線接続方式を提供する無線通信システムで用いられる移動無線端末装置に関する。
【背景技術】
【０００２】
２つ以上の異なる無線接続方式に対応する移動無線端末装置が、ある無線接続方式で送られるページング信号を定期的に受信することで、複数の無線通信システムについて同時に待ち受けを行うシステムの開発が進められている。このシステムでは、異なる無線接続方式の基地局が地理的に互いに同じ位置に敷設される場合と、別の位置にそれぞれ敷設される場合がある。
【０００３】
例えば、上記無線接続方式として、CDMA2000 1x方式（例えば、非特許文献１参照）、EV-DO方式（例えば、非特許文献２参照）およびLTE(Long Term Evolution)方式（例えば、非特許文献３参照）が考えられる。この例の場合、CDMA2000 1x方式およびEV-DO方式については、既にそのサービスエリアの人口カバー率が約９５％に達している。これに対して、新規に開発されるLTE方式については、運用当初は、人口密度の高い都市部から順にサービス展開することが予想される。
【０００４】
一般に、移動無線端末装置は、良好な通信が行える周辺の基地局の探索を定期的に行い、着信待ち受けに用いている基地局よりも良好な周辺基地局を見つけると、そちらにハンドオーバする。このため、例えば２つの無線接続方式Ａ，Ｂに対応する移動無線端末装置にあっては、着信待ち受けに用いている無線接続方式Ａ以外の無線接続方式Ｂでも、着信が生じた場合に、速やかに無線接続方式Ｂで接続を確立するために、無線接続方式Ａと同様に無線接続方式Ｂについても、定期的に周辺基地局を探索しておく必要がある。
【０００５】
しかし、このように複数の無線接続方式について、それぞれ定期的に周辺基地局を探索することは、着信待ち受け時の消費電力が増加するため、望ましくない。
【非特許文献１】Agilent Technologies社  2001  ３G  Workshop  Part2、２００１年1月16日、ｐ２−３５。
【非特許文献２】Agilent Technologies社  2001  ３G  Workshop  Part2、２００１年1月16日、ｐ３６−５０。
【非特許文献３】Erik Dahlman著 Academic Press, 2007年、ｐ．２７７−３６９。
【発明の開示】
【発明が解決しようとする課題】
【０００６】
従来考えられていた複数の無線接続方式に対応する移動無線端末装置では、各無線接続方式について定期的に周辺基地局を探索するため、着信待ち受け時の消費電力が大きいという問題があった。  
この発明は上記の問題を解決すべくなされたもので、複数の無線接続方式に対応する場合の着信待ち受け時の消費電力を低減することが可能な移動無線端末装置および基地局探索方法を提供することを目的とする。
【課題を解決するための手段】
【０００７】
上記の目的を達成するために、この発明は、第１の無線接続方式により無線通信を行う第１無線基地局と、第２の無線接続方式により無線通信を行う第２無線基地局を収容し、第２無線基地局を通じて通信するための着信を、第１無線基地局を通じて行う無線通信システムで用いられる移動無線端末装置において、第１無線基地局および第２無線基地局から送信される無線信号を受信する受信手段と、この受信手段が第１無線基地局より第２無線基地局の存在を示す情報を受信した場合には、第１無線基地局を定期的に探索し、一方、情報を受信しなかった場合には、第１無線基地局と第２無線基地局を定期的に探索する探索手段とを具備して構成するようにした。
【発明の効果】
【０００８】
以上述べたように、この発明では、第１無線基地局より第２無線基地局の存在を示す情報を受信した場合には、第１無線基地局と第２無線基地局を定期的に探索し、一方、情報を受信しなかった場合には、第１無線基地局を定期的に探索するようにしている。
【０００９】
したがって、この発明によれば、第１無線基地局から第２無線基地局の存在を示す情報を受信しない場合に限って、第２無線基地局の探索を行うので、複数の無線接続方式に対応する場合の着信待ち受け時の消費電力を低減することが可能な移動無線端末装置を提供できる。
【発明を実施するための最良の形態】
【００１０】
以下、図面を参照して、この発明の一実施形態について説明する。  
図１は、この発明の一実施形態に係わる移動無線端末装置の構成を示すものである。この図に示すように、移動無線端末装置は、送受信用アンテナ１０１と、受信用アンテナ１０２と、端末制御部１００と、受信部１１０と、受信信号処理部１２０と、送信信号処理部１３０と、送信部１４０とを備える。その他、文字や映像を表示する表示部１５０や、ユーザからの要求や番号入力を受け付ける入力部１６０を備え、駆動電力を供給するバッテリや電源部、送話音声を入力するためのマイクロホン、受話音声を拡声出力するスピーカなどを備える。
【００１１】
そしてこの移動無線端末装置は、２つ以上の異なる無線接続方式で通信が可能である。以下の説明では、CDMA2000 1x方式（以下、1x方式と称する）と、LTE(Long Term Evolution)方式の無線接続方式に対応する場合を例に挙げて説明する。
【００１２】
1x方式は、回線交換接続により、音声通信サービスや100kbps以下の低速パケット通信サービスを提供できる。LTE方式は、パケット交換接続により、2Mbps〜20Mbps程度の高速パケットサービスを提供するもので、VoIP(Voice over Internet Protocol)により音声通話サービスも提供できる。
【００１３】
各方式は、互いに異なる利用周波数が定められている。ここでは以下のように定義する。すなわち、1x方式は、基地局から移動無線端末装置に向けた下り回線として周波数f1dが割り当てられ、反対に上り回線の周波数としてf1uが割り当てられる。また、LTE方式は、基地局から移動無線端末装置に向けた下り回線として周波数f2dが割り当てられ、反対に上り回線の周波数としてf2uが割り当てられる。
【００１４】
そして、図２に示すように、この無線通信システムは、1x方式の無線信号のみを送受信する基地局と、LTE方式の無線信号のみを送受信する基地局と、1x方式とLTE方式の両方の無線信号を送受信する基地局とがそれぞれ敷設され、それぞれセルと呼ばれる無線ゾーンを形成している。
【００１５】
そして、図３に示すように、1x方式に対応する基地局（1x BS）は、例えば3GPP2 A.S0001-AおよびA.S0008-Cに準拠した1xRTTアクセス網に収容される。またLTE方式に対応する基地局（LTE BS）は、例えば3GPP TS 23.401 v8.2.0および3GPP TS23.402 v8.2.0に準拠したE-UTRANアクセス網に収容される。
【００１６】
再び、図１を参照して移動無線端末装置について説明する。  
基地局1x BS、LTE BSから送信された無線信号（周波数f1d、f2d）は、送受信用アンテナ１０１および受信用アンテナ１０２で受信される。受信された無線信号は、受信部１１０で、ベースバンド受信信号にダウンコンバートされる。このダウンコンバートに用いられるローカル信号は、受信信号処理部１２０から指示された通信方式に応じた周波数で発振され、これにより、受信対象となる無線信号（周波数f1d、f2dのいずれか）が選択される。また受信部１１０は、受信信号処理部１２０から指示された通信方式に応じた周波数の受信信号のＳＮ比（もしくは、受信電力レベル）を測定し、この測定結果を受信信号処理部１２０を通じて、端末制御部１００に通知する。
【００１７】
受信信号処理部１２０は、1x方式に対応し基地局1x BSから受信した信号を処理する1x受信信号処理部１２０ａと、LTE方式に対応し基地局LTE BSから受信した信号を処理するLTE受信信号処理部１２０ｂとを備える。
【００１８】
そして、受信信号処理部１２０は、端末制御部１００から指示された通信方式を受信部１１０に通知するとともに、1x受信信号処理部１２０ａとLTE受信信号処理部１２０ｂのうち、上記通信方式に対応する処理部を起動する。
【００１９】
1x受信信号処理部１２０ａおよびLTE受信信号処理部１２０ｂは、それぞれ対応する通信方式に応じた信号処理を行うものであって、起動されると、その信号処理により、ベースバンド受信信号を復調および復号し、受信データを得る。
【００２０】
送信信号処理部１３０は、1x方式に対応し基地局1x BSに送信する信号を生成する1x送信信号処理部１３０ａと、LTE方式に対応し基地局LTE BSに送信する信号を生成するLTE送信信号処理部１３０ｂとを備える。
【００２１】
そして、送信信号処理部１３０は、端末制御部１００から指示された通信方式を送信部１４０に通知するとともに、1x送信信号処理部１３０ａとLTE送信信号処理部１３０ｂのうち、上記通信方式に対応する処理部を起動する。
【００２２】
1x送信信号処理部１３０ａおよびLTE送信信号処理部１３０ｂは、それぞれ対応する通信方式に応じた信号処理を行うものであって、起動されると、その信号処理により、送信データを符号化し、その後、変調して、ベースバンド送信信号を生成する。
【００２３】
送信部１４０は、送信信号処理部１３０から通知された通信方式に対応する周波数のローカル信号を発振し、このローカル信号で上記ベースバンド送信信号を無線周波数にアップコンバートする。これにより、送信対象となる無線信号（周波数f1u、f2uのいずれか）が選択される。無線信号は、送受信用アンテナ１０１を通じて空間に放射される。
【００２４】
端末制御部１００は、当該移動無線端末装置の各部を統括して制御するものであって、入力部１６０を通じたユーザからの要求に応じた通信方式で通信を行うために各部を制御したり、あるいは後述する待ち受け処理や着信処理にしたがって、通信方式の選択、位置登録や着信の待ち受けなどの処理を行う。これらの処理により、1x方式を用いる場合に、その対応エリアが他の方式に比べて狭いことより、効率的なセルサーチ（基地局1x BSの探索）を行う。
【００２５】
次に、上記構成の移動無線端末装置の動作について説明する。まず、移動無線端末装置の電源を投入した場合に、その直後に、1x方式とEV-DO方式について、初期捕捉を行って、待ち受け状態に至るまでの処理について説明する。図４は、その処理を示すフローチャートである。この処理は、端末制御部１００によってなされ、その制御プログラムや制御データは、端末制御部１００の内部に備えられた記憶部に予め記憶されている。
【００２６】
まず電源が投入されると、ステップ４ａにおいて端末制御部１００は、受信信号処理部１２０および送信信号処理部１３０に対して、通信方式としてLTE方式を選択するように指示する。これにより、受信信号処理部１２０は、LTE受信信号処理部１２０bを起動するとともに、受信部１１０に対して、通信方式としてLTE方式を通知する。なお、この時点で、1x受信信号処理部１２０aと1x送信信号処理部１３０aは、動作しておらず、その動作に関わる消費電力は極小となっている。
【００２７】
これに対して、受信部１１０は、LTE方式の無線信号を受信するためのローカル信号を発振して、周波数f2uの信号をベースバンドにダウンコンバートする。送信信号処理部１３０も同様に、LTE送信信号処理部１３０bを起動するとともに、送信部１４０に通信方式としてLTE方式を通知する。
【００２８】
その後、端末制御部１００は、受信信号処理部１２０（LTE受信信号処理部１２０b）から出力される受信データを監視して、LTE方式に対応する基地局から送信されるパイロット信号を受信して基地局を探索し、最良のＳＮ比が得られる基地局を検出し、ステップ４ｂに移行する。
【００２９】
ステップ４ｂにおいて端末制御部１００は、受信信号処理部１２０（LTE受信信号処理部１２０b）および送信信号処理部１３０（LTE送信信号処理部１３０b）に対して、ステップ４ａで検出した基地局を通じて着信待ち受けを行うように指示を与えて、ステップ４ｃに移行する。これにより、端末制御部１００、LTE受信信号処理部１２０bおよびLTE送信信号処理部１３０bは、所定の手順にしたがって、ステップ４ａで検出した基地局と通信し、位置登録などを行って、上記基地局を通じて着信信号が到来するのを待ち受ける状態となる。
【００３０】
ステップ４ｃにおいて端末制御部１００は、予め設定した時間が経過したか否かを監視する。ここで、予め設定した時間が経過した場合には、ステップ４ｄに移行して周辺基地局測定プロセスP（ステップ４ｄ〜４ｉ）を開始し、一方、予め設定した時間が経過しない場合には、引き続きステップ４ｃにて、予め設定した時間が経過するのを監視する。
【００３１】
ステップ４ｄにおいて端末制御部１００は、ステップ４ａと同様にして、受信信号処理部１２０および送信信号処理部１３０を制御して、LTEに対応する周辺の基地局から送信されるパイロット信号を受信して、最良のＳＮ比が得られる周辺の基地局を検出し、ステップ４ｅに移行する。
【００３２】
ステップ４ｅにおいて端末制御部１００は、受信信号処理部１２０および送信信号処理部１３０を制御して、着信待ち受けに用いている基地局から送信されるパイロット信号を受信して、そのＳＮ比を検出し、ステップ４ｅに移行する。
【００３３】
ステップ４ｆにおいて端末制御部１００は、ステップ４ｄで検出した周辺基地局のＳＮ比（SNE）と、ステップ４ｅで検出したＳＮ比（SNC）を比較して、周辺基地局にハンドオーバする必要があるか否かを判定する。この判定では、例えば下式を満たすか否かで、ハンドオーバの必要性を判定する。  
SNC＜SNE＋SNTH 
すなわち、周辺基地局のＳＮ比（SNE）が、待ち受けに用いている基地局のＳＮ比（SNC）よりも、閾値（SNTH）を超えて良好な場合に、周辺基地局にハンドオーバする必要があると判定する。
【００３４】
そして、周辺基地局にハンドオーバする必要があると判定した場合には、ステップ４ｉに移行し、一方、周辺基地局にハンドオーバする必要がないと判定した場合には、ステップ４ｇに移行する。
【００３５】
ステップ４ｇにおいて端末制御部１００は、待ち受けに用いている基地局がLTE方式だけでなく、1x方式にも対応しているか否かを判定する。判定の方法としては、LTE方式に対応する基地局が、その基地局に固有の共通報知チャネルを通じて、1x方式にも対応しているか否かを示す情報を移動無線端末装置に報知したり、あるいは、上記基地局が上位のメッセージを通じて、同様の情報を移動無線端末装置に通知する。  
そして、待ち受けに用いている基地局が1x方式にも対応している場合には、ステップ４ｃに移行し、一方、対応していない場合には、ステップ４ｈに移行する。
【００３６】
ステップ４ｈにおいて端末制御部１００は、受信信号処理部１２０および送信信号処理部１３０に対して、1x方式に対応する基地局を探索するように指示する。これにより、受信信号処理部１２０は、1x受信信号処理部１２０ｂを起動するとともに、受信部１１０に対して、通信方式としてLTE方式を通知する。
【００３７】
これに対して、受信部１１０は、1x方式の無線信号を受信するためのローカル信号を発振して、周波数f1uの信号をベースバンドにダウンコンバートする。その後、端末制御部１００は、受信信号処理部１２０（1x受信信号処理部１２０a）から出力される受信データを監視して、1x方式に対応する基地局から送信されるパイロット信号を受信して基地局を探索し、最良のＳＮ比が得られる基地局を検出し、ステップ４ｃに移行する。なお、このようにして1x方式に対応する基地局を検出すると、受信信号処理部１２０は、1x受信信号処理部１２０aを停止させ、消費電力を抑制する。
【００３８】
ステップ４ｉにおいて端末制御部１００は、受信信号処理部１２０（LTE受信信号処理部１２０b）および送信信号処理部１３０（LTE送信信号処理部１３０b）に対して、ステップ４ｄで検出した周辺基地局にハンドオーバするように指示を与えて、ステップ４ｇに移行する。
【００３９】
これにより、端末制御部１００、LTE受信信号処理部１２０bおよびLTE送信信号処理部１３０bは、所定の手順にしたがって、ステップ４ｄで検出した周辺基地局と通信し、位置登録などを行って、ハンドオーバを完了し、これにより上記周辺基地局を通じて着信信号が到来するのを待ち受ける状態となる。
【００４０】
次に、着信待ち受け時の動作について説明する。図５は、その処理を示すフローチャートである。この処理は、端末制御部１００によってなされ、その制御プログラムや制御データは、端末制御部１００の内部に備えられた記憶部に予め記憶されている。この処理は、図４に示した処理によって、待ち受け状態となると、実行される。
【００４１】
ステップ５ａにおいて端末制御部１００は、受信信号処理部１２０（LTE受信信号処理部１２０b）が受信した受信データを監視し、当該移動無線端末装置宛ての着信が発生したか否かを判定する。ここで、着信が発生した場合には、ステップ５ｂに移行し、一方、着信が発生しない場合には、引き続きステップ５ａにて着信の発生を監視する。
【００４２】
ステップ５ｂにおいて端末制御部１００は、ステップ５ａで検出した着信を示す受信データから、発生した着信が1x方式かLTE方式かを判定する。ここで、発生した着信がLTE方式の場合には、ステップ５ｃに移行し、一方、発生した着信が1x方式の場合には、ステップ５ｄに移行する。  
ステップ５ｃにおいて端末制御部１００は、表示部１５０や図示しないサウンダを制御して、ユーザにLTE方式による着信が発生した旨を報知し、ステップ５ｆに移行する。
【００４３】
ステップ５ｄにおいて端末制御部１００は、受信信号処理部１２０（1x受信信号処理部１２０a）および送信信号処理部１３０（1x送信信号処理部１３０a）に対して、1x方式に対応する基地局にハンドオーバするように指示を与えて、ステップ５ｅに移行する。
【００４４】
これにより、1x受信信号処理部１２０aおよび1x送信信号処理部１３０aが起動され、端末制御部１００、1x受信信号処理部１２０aおよび1x送信信号処理部１３０aは、所定の手順にしたがって、1x方式に対応する基地局と通信し、位置登録などを行って、ハンドオーバを完了し、これにより1x方式に対応する基地局を通じて着信信号が到来するのを待ち受ける状態となる。なお、ここでいう、1x方式に対応する基地局とは、ステップ４ｈで検出した基地局か、あるいは、1x方式とLTE方式に対応する待ち受けに用いていた基地局である。
【００４５】
ステップ５ｅにおいて端末制御部１００は、表示部１５０や図示しないサウンダを制御して、ユーザに1x方式による着信が発生した旨を報知し、ステップ５ｆに移行する。  
ステップ５ｆにおいて端末制御部１００は、入力部１６０に対するユーザ操作を監視し、ユーザが着信に応答する旨を示す操作を行うと、ステップ５ｇに移行する。
【００４６】
ステップ５ｇにおいて端末制御部１００は、受信信号処理部１２０および送信信号処理部１３０に対して、着信に応答するように指示を与えて、当該処理を終了する。これにより、端末制御部１００、受信信号処理部１２０および送信信号処理部１３０は、所定の手順にしたがって、着信を報知した基地局と通信して通信リンクを確立し、通信が可能な状態となる。なお、ここで、LTE方式の着信の場合には、LTE受信信号処理部１２０ｂとLTE送信信号処理部１３０ｂとが機能し、一方、1x方式の着信の場合には、1x受信信号処理部１２０ａと1x送信信号処理部１３０ａとが機能することはいうまでもない。
【００４７】
以上のように、上記構成の移動無線端末装置では、LTE方式に対応する基地局を探索して、着信の発生を待ち受けを開始し、定期的に周辺基地局測定プロセスPを実行し、LTE方式に対応する周辺基地局を探索する。一方、1x方式に対応する基地局については、上記周辺基地局測定プロセスPにおいて、着信の待ち受けに用いているLTE方式に対応する基地局が、1x方式に対応しない場合にのみ、1x受信信号処理部１２０ａを起動して、探索を行うようにしている。
【００４８】
したがって、上記構成の移動無線端末装置によれば、LTE方式に対応する周辺基地局については定期的に探索を行うが、1x方式に対応する基地局については、待ち受けに用いている基地局が1x方式に対応しない場合に限って探索を行うので、1x方式に対応する基地局の探索に要する消費電力を抑制することができる。すなわち1x方式とLTE方式の両方に対応する場合の着信待ち受け時の消費電力を低減することができる。
【００４９】
なお、着信の待ち受けに用いているLTE方式に対応する基地局が、1x方式に対応する場合、この基地局を通じて1x方式の着信を待ち受けることになるが、この基地局が1x方式の基地局のうち、最も良好なＳＮ比の基地局とは限らない。しかしながら、LTE方式の基地局としては、最も良好なＳＮ比の基地局であることより、1x方式についても、十分に良好なＳＮ比の基地局である可能性が高く、1x方式の着信に支障をきたすことはない。
【００５０】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５１】
その一例として例えば、上記実施の形態では、無線接続方式として、CDMA2000 1x方式と、LTE方式を例に挙げて説明したが、これに限定されるものではない。例えば、これらのいずれかに代わって、EV-DO方式を採用する場合にも適用でき、同様の効果を得られる。  
その他、この発明の要旨を逸脱しない範囲で種々の変形を施しても同様に実施可能であることはいうまでもない。
【図面の簡単な説明】
【００５２】
【図１】この発明に係わる移動無線端末装置の一実施形態の構成を示す回路ブロック図。
【図２】この発明に係わる無線通信システムのネットワーク側の概略構成を示す図。
【図３】この発明に係わる無線通信システムの基地局を説明するための図。
【図４】図１に示した移動無線端末装置の動作を説明するためのフローチャート。
【図５】図１に示した移動無線端末装置の動作を説明するためのフローチャート。
【符号の説明】
【００５３】
１００…端末制御部、１０１…送受信用アンテナ、１０２…受信用アンテナ、１１０…受信部、１２０…受信信号処理部、１２０ａ…1x受信信号処理部、１２０ｂ…LTE受信信号処理部、１３０…送信信号処理部、１３０ａ…1x送信信号処理部、１３０ｂ…LTE送信信号処理部、１４０…送信部、１５０…表示部、１６０…入力部。
【図１】
2010166532.tif 000003
【図２】
2010166532.tif 000004
【図３】
2010166532.tif 000005
【図４】
2010166532.tif 000006
【図５】
2010166532.tif 000007